(57)【要約】【課題】演奏者の足操作子群の演奏技術を効果的に高めることが可能な教習装置、教習プログラムおよび教習方法を提供する。【解決手段】鍵盤画像表示部１０２は、足で操作されるペダル鍵盤に対応するペダル鍵盤画像をディスプレイ６上に表示する。ペダル演奏データ取得部１０３は、ペダル演奏パートの少なくともリズムを表すペダル演奏データを取得する。リズム情報表示部１０４は、取得されたペダル演奏データに基づいて、ペダル演奏パートのリズム情報を単位区間毎に表示する。音高取得部１０５は、ペダル演奏パートの音高を順次取得する。ペダル鍵指定部１０６は、取得されたペダル演奏パートの音高に基づいて、演奏すべきペダル鍵をペダル鍵盤画像上で指定する。【選択図】図８
2018146717.tif 000002
【特許請求の範囲】
【請求項１】
演奏者の足で操作されかつそれぞれ音高が割り当てられた複数の足操作子からなる足操作子群と、
前記足操作子群の操作により演奏されるべき足演奏パートの少なくともリズムを表す足演奏データを取得する足演奏データ取得手段と、
前記足演奏パートの音高を順次取得する足音高取得手段と、
前記足操作子群に対応する足操作子群画像を表示する足操作子群画像表示手段と、
前記取得された足演奏パートの音高に基づいて、操作すべき操作子を前記足操作子群画像上で指定する足操作子指定手段と、
取得された足演奏データに基づいて、定められた区間毎に前記足演奏パートの少なくともリズムを表すリズム情報を表示するリズム情報表示手段とを備えた、教習装置。
【請求項２】
前記リズム情報表示手段は、前記取得された足演奏データに基づいて、前記区間毎のリズム譜を生成し、生成したリズム譜を前記リズム情報として表示する、請求項１記載の教習装置。
【請求項３】
演奏者の手で操作されかつそれぞれ音高が割り当てられた複数の手操作子を含む手操作子群と、
前記手操作子群の操作により演奏されるべき手演奏パートの音高を順次取得する手音高取得手段と、
取得された手演奏パートの音高に基づいて、操作すべき手操作子を指定する手操作子指定手段とをさらに備えた、請求項１または２記載の教習装置。
【請求項４】
前記手操作子群は、半音階を構成する複数の音高がそれぞれ割り当てられた複数の手鍵を前記複数の手操作子として含む手鍵盤であり、
前記足操作子群は、半音階を構成する複数の音高がそれぞれ割り当てられた複数のペダル鍵を前記複数の足操作子として含むペダル鍵盤である、請求項３記載の教習装置。
【請求項５】
演奏者の足で操作されかつそれぞれ音高が割り当てられた複数の足操作子からなる足操作子群に対応する足操作子群画像を表示するステップと、
前記足操作子群の操作により演奏されるべき足演奏パートの少なくともリズムを表す足演奏データを取得するステップと、
前記足演奏パートの音高を順次取得するステップと、
取得された足演奏パートの音高に基づいて、操作すべき足操作子を前記足操作子群画像上で指定するステップと、
取得された足演奏データに基づいて、定められた区間毎に前記足演奏パートの少なくともリズムを表すリズム情報を表示するステップとを、
コンピュータに実行させるための教習プログラム。
【請求項６】
演奏者の足で操作されかつそれぞれ音高が割り当てられた複数の足操作子からなる足操作子群に対応する足操作子群画像を表示するステップと、
前記足操作子群の操作により演奏されるべき足演奏パートの少なくともリズムを表す足演奏データを取得するステップと、
前記足演奏パートの音高を順次取得するステップと、
取得された足演奏パートの音高に基づいて、操作すべき足操作子を前記足操作子群画像上で指定するステップと、
取得された足演奏データに基づいて、定められた区間毎に前記足演奏パートの少なくともリズムを表すリズム情報を表示するステップとを含む、教習方法。
【発明の詳細な説明】
【技術分野】
【０００１】
本発明は、演奏の教習を行う教習装置、教習プログラムおよび教習方法に関する。
【背景技術】
【０００２】
ユーザに演奏をガイドするガイド機能を備えた電子楽器が知られている。特許文献１には、押鍵ガイド機能を有する電子鍵盤楽器が記載されている。この電子鍵盤楽器には、鍵盤に対応して鍵盤ＬＥＤ（発光ダイオード）が設けられる。ガイドモードでは、鍵オンタイミングの所定時間前にその鍵に対応するＬＥＤが第１の態様で点灯され、鍵オンタイミングに当該ＬＥＤが第２の態様で点灯される。
【先行技術文献】
【特許文献】
【０００３】
【特許文献１】特開平１０−２４７０５９号公報
【発明の概要】
【発明が解決しようとする課題】
【０００４】
電子オルガンで代表されるように、手で操作される手鍵盤に加えて、足で操作されるペダル鍵盤を備えた電子楽器がある。ペダル鍵盤は、それぞれ音高が割り当てられた複数のペダル鍵を含む。ペダル鍵盤の演奏技術を高めるため、特許文献１に記載されるような手鍵盤のガイドに加えて、ペダル鍵盤のガイドを行うことが求められる。しかしながら、ペダル鍵盤は、手鍵盤に比べて演奏を行うユーザの目から遠い位置にある。そのため、手鍵盤と同じようにＬＥＤを用いてペダル鍵盤の演奏のガイドを行っても、ユーザが操作すべきペダル鍵を適切に認識することは難しい。例えば、ユーザの目から近い位置にペダル鍵盤用のＬＥＤが設けられた場合には、ＬＥＤとペダル鍵盤との間の距離が大きくなるので、ユーザが、点灯されたＬＥＤと操作すべきペダル鍵とを対応付けることが難しい。一方、ペダル鍵盤に近い位置にペダル鍵盤用のＬＥＤが設けられた場合には、ユーザがＬＥＤを視認しにくい。これにより、ユーザのペダル鍵盤の演奏技術を高めることが難しい。
【０００５】
本発明の目的は、演奏者の足操作子群の演奏技術を効果的に高めることが可能な教習装置、教習プログラムおよび教習方法を提供することである。
【課題を解決するための手段】
【０００６】
本発明に係る教習装置は、演奏者の足で操作されかつそれぞれ音高が割り当てられた複数の足操作子からなる足操作子群と、足操作子群の操作により演奏されるべき足演奏パートの少なくともリズムを表す足演奏データを取得する足演奏データ取得手段と、足演奏パートの音高を順次取得する足音高取得手段と、足操作子群に対応する足操作子群画像を表示する足操作子群画像表示手段と、取得された足演奏パートの音高に基づいて、操作すべき足操作子を足操作子群画像上で指定する足操作子指定手段と、取得された足演奏データに基づいて、定められた区間毎に足演奏パートの少なくともリズムを表すリズム情報を表示するリズム情報表示手段とを備える。
【０００７】
この教習装置においては、演奏すべき足操作子が足操作子群画像上で指定されるとともに、定められた区間毎に足演奏パートの少なくともリズムを表すリズム情報が表示される。この場合、演奏者は、足操作子群画像を見て操作すべき足操作子を直感的に認識することができ、かつリズム情報を見て足操作子を操作すべきタイミングおよびリズムを容易に認識することができる。これにより、演奏者は、足操作子群の適切な操作を習得しやすくなる。したがって、演奏者の足操作子群の演奏技術を効果的に高めることが可能となる。
【０００８】
リズム情報表示手段は、取得された足演奏データに基づいて、区間毎のリズム譜を生成し、生成したリズム譜をリズム情報として表示してもよい。この場合、演奏者は、リズム譜を見て、足操作子を操作すべきタイミングおよびリズムを容易に認識することができる。
【０００９】
教習装置は、演奏者の手で操作されかつそれぞれ音高が割り当てられた複数の手操作子を含む手操作子群と、手操作子群の操作により演奏されるべき手演奏パートの音高を順次取得する手音高取得手段と、取得された手演奏パートの音高にに基づいて、操作すべき手操作子を指定する手操作子指定手段とをさらに備えてもよい。この場合、演奏者は、操作すべき足操作子に加えて操作すべき手操作子を容易に認識することができる。それにより、足操作子群の演奏技術に加えて手操作子群の演奏技術も同時に高めることができる。
【００１０】
手操作子群は、半音階を構成する複数の音高がそれぞれ割り当てられた複数の手鍵を複数の手操作子として含む手鍵盤であり、足操作子群は、半音階を構成する複数の音高がそれぞれ割り当てられた複数のペダル鍵を複数の足操作子として含むペダル鍵盤であってもよい。この場合、電子オルガンで代表される電子楽器において、演奏者のペダル鍵盤の演奏技術を効果的に高めることができる。
【００１１】
本発明に係る教習プログラムは、演奏者の足で操作されかつそれぞれ音高が割り当てられた複数の足操作子からなる足操作子群に対応する足操作子群画像を表示するステップと、足操作子群の操作により演奏されるべき足演奏パートの少なくともリズムを表す足演奏データを取得するステップと、足演奏パートの音高を順次取得するステップと、取得された足演奏パートの音高に基づいて、操作すべき足操作子を足操作子群画像上で指定するステップと、取得された足演奏データに基づいて、定められた区間毎に足演奏パートの少なくともリズムを表すリズム情報を表示するステップとを、コンピュータに実行させるためのものである。
【００１２】
本発明に係る教習方法は、演奏者の足で操作されかつそれぞれ音高が割り当てられた複数の足操作子からなる足操作子群に対応する足操作子群画像を表示するステップと、足操作子群の操作により演奏されるべき足演奏パートの少なくともリズムを表す足演奏データを取得するステップと、足演奏パートの音高を順次取得するステップと、取得された足演奏パートの音高に基づいて、操作すべき足操作子を足操作子群画像上で指定するステップと、取得された足演奏データに基づいて、定められた区間毎に足演奏パートの少なくともリズムを表すリズム情報を表示するステップとを含む。
【００１３】
この教習プログラムおよび教習方法によれば、演奏者の足操作子群の演奏技術を効果的に高めることが可能となる。
【発明の効果】
【００１４】
本発明によれば、演奏者の足操作子群の演奏技術を効果的に高めることが可能となる。
【図面の簡単な説明】
【００１５】
【図１】本実施の形態に係る教習装置を備えた電子楽器のハードウェア構成の一例を示すブロック図である。
【図２】演奏操作子を構成する手鍵盤およびペダル鍵盤、ならびにガイド部の具体例について説明するための模式図である。
【図３】ディスプレイに表示される教習画面の例を示す図である。
【図４】リズム情報の他の例を示す図である。
【図５】リズム情報の他の例を示す図である。
【図６】リズムパターンの例を示す図である。
【図７】ペダル演奏パートの音符列の例を示す図である。
【図８】教習装置の機能的な構成を示すブロック図である。
【図９】教習装置における教習処理の一例を示すフローチャートである。
【図１０】教習装置における教習処理の一例を示すフローチャートである。
【図１１】リズム情報生成処理の一例を示すフローチャートである。
【図１２】他の足操作子群を備えた演奏装置を示す図である。
【発明を実施するための形態】
【００１６】
以下、本発明の実施の形態に係る教習装置、教習プログラムおよび教習方法について図面を用いて詳細に説明する。
【００１７】
［１］電子楽器の構成
図１は、本実施の形態に係る教習装置を備えた電子楽器のハードウェア構成の一例を示すブロック図である。図１の電子楽器１は、楽曲の演奏が可能な電子鍵盤楽器である。電子楽器１の動作モードとして、演奏の教習を行う教習モードが用意されている。
【００１８】
電子楽器１は、演奏操作子２、入力Ｉ／Ｆ（インタフェース）３、設定操作子４、検出回路５、ディスプレイ６、表示回路７およびガイド部８を備える。演奏操作子２は、入力Ｉ／Ｆ３を介してバス１９に接続される。ユーザが演奏操作子２を操作することにより、演奏データが入力される。演奏データは、例えばＭＩＤＩ（Musical Instrument Digital Interface）データまたはオーディオデータからなる。本例において、演奏操作子２は、ユーザ（演奏者）の手で操作される手鍵盤ＨＫ、およびユーザの足で操作されるペダル鍵盤ＰＫを含む。手鍵盤ＨＫおよびペダル鍵盤ＰＫの詳細については後述する。手鍵盤ＨＫおよびペダル鍵盤ＰＫに加えて、モジュレーションホイールおよびピッチベンドホイール等が演奏操作子２として設けられてもよい。
【００１９】
設定操作子４は、オンオフ操作されるスイッチ、回転操作されるロータリエンコーダ、またはスライド操作されるリニアエンコーダ等を含み、検出回路５を介してバス１９に接続される。設定操作子４は、音量の調整、電源のオンオフおよび各種設定を行うために用いられる。ディスプレイ６は、例えば液晶ディスプレイを含み、表示回路７を介してバス１９に接続される。ディスプレイ６により、演奏または設定等に関する各種情報が表示される。設定操作子４およびディスプレイ６の少なくとも一部がタッチパネルディスプレイにより構成されてもよい。ガイド部８は、演奏操作子２による演奏をガイドする。ガイド部８の詳細については後述する。
【００２０】
電子楽器１は、ＲＡＭ（ランダムアクセスメモリ）９、ＲＯＭ（リードオンリメモリ）１０、ＣＰＵ（中央演算処理装置）１１、タイマ１２および記憶装置１３をさらに備える。ＲＡＭ９、ＲＯＭ１０、ＣＰＵ１１および記憶装置１３はバス１９に接続され、タイマ１２はＣＰＵ１１に接続される。外部記憶装置１５等の外部機器が通信Ｉ／Ｆ（インタフェース）１４を介してバス１９に接続されてもよい。ＲＡＭ９、ＲＯＭ１０、ＣＰＵ１１およびタイマ１２がコンピュータを構成する。
【００２１】
ＲＡＭ９は、例えば揮発性メモリからなり、ＣＰＵ１１の作業領域として用いられるとともに、各種データを一時的に記憶する。ＲＯＭ１０は、例えば不揮発性メモリからなり、制御プログラムおよび教習プログラム等のコンピュータプログラムを記憶する。ＣＰＵ１１は、ＲＯＭ１０に記憶された教習プログラムをＲＡＭ９上で実行することにより後述する教習処理を行う。タイマ１２は、現在時刻等の時間情報をＣＰＵ１１に与える。
【００２２】
記憶装置１３は、ハードディスク、光学ディスク、磁気ディスクまたはメモリカード等の記憶媒体を含み、複数の練習曲の曲データを記憶する。各曲データは、複数のパートにそれぞれ対応する複数のパートデータを含む。各パートデータは、例えばＭＩＤＩデータであり、対応するパートの音高列、ノートオンおよびノートオフの時点ならびにベロシティ等を示す複数のイベントデータを含む。
【００２３】
上記の教習プログラムが記憶装置１３に記憶されてもよい。外部記憶装置１５は、記憶装置１３と同様に、ハードディスク、光学ディスク、磁気ディスクまたはメモリカード等の記憶媒体を含む。上記の教習プログラムが外部記憶装置１５に記憶されてもよい。
【００２４】
教習プログラムは、コンピュータが読み取り可能な記録媒体に格納された形態で提供され、ＲＯＭ１０または記憶装置１３にインストールされてもよい。また、通信Ｉ／Ｆ１４が通信網に接続されている場合、通信網に接続されたサーバから配信された教習プログラムがＲＯＭ１０または記憶装置１３にインストールされてもよい。同様に、少なくとも１つの曲データが、記憶媒体から取得されてもよく、通信網に接続されたサーバから取得されてもよい。
【００２５】
電子楽器１は、音源１６、効果回路１７およびサウンドシステム１８をさらに備える。音源１６および効果回路１７はバス１９に接続され、サウンドシステム１８は効果回路１７に接続される。音源１６は、演奏操作子２により入力される演奏データ、ならびに後述の自動演奏パートのパートデータに基づいて楽音信号を生成する。効果回路１７は、音源１６により生成される楽音信号に音響効果を付与する。
【００２６】
サウンドシステム１８は、デジタルアナログ（Ｄ／Ａ）変換回路、増幅器およびスピーカを含む。このサウンドシステム１８は、音源１６から効果回路１７を通して与えられる楽音信号をアナログ音信号に変換し、アナログ音信号に基づく音を発生する。電子楽器１において、主として演奏操作子２、ディスプレイ６、ＲＡＭ９、ＲＯＭ１０、ＣＰＵ１１および記憶装置１３が教習装置１００を構成する。
【００２７】
［２］演奏操作子およびガイド部
図２は、演奏操作子２を構成する手鍵盤ＨＫおよびペダル鍵盤ＰＫ、ならびにガイド部８の具体例について説明するための模式図である。図２に示すように、本例において、手鍵盤ＨＫは、上鍵盤ＵＫおよび下鍵盤ＬＫを含む。上鍵盤ＵＫと下鍵盤ＬＫとは上下および前後にずらして配置され、上鍵盤ＵＫは下鍵盤ＬＫより上方かつ奥側（ユーザから遠い側）に位置する。上鍵盤ＵＫは、主としてユーザの右手で操作され、下鍵盤ＬＫは主としてユーザの左手で操作される。上鍵盤ＵＫは、それぞれ音高が割り当てられた複数の上鍵ｋ１からなり、下鍵盤ＬＫは、それぞれ音高が割り当てられた複数の下鍵ｋ２からなり、ペダル鍵盤ＰＫは、それぞれ音高が割り当てられた複数のペダル鍵ｋ３からなる。以下、上鍵ｋ１および下鍵ｋ２を総称して手鍵と呼ぶ。
【００２８】
上鍵盤ＵＫは、例えば、例えば４９鍵（４オクターブと１音）または６１鍵（５オクターブと１音）の上鍵ｋ１を含む。下鍵盤ＬＫは、上鍵盤ＵＫと同様に、例えば４９鍵または６１鍵の下鍵ｋ２を含む。ペダル鍵盤ＰＫは、例えば２０鍵（１オクターブと８音）または２５鍵（２オクターブと１音）のペダル鍵ｋ３を含む。通常、下鍵盤ＬＫの音域のうち最も低い音高は、ペダル鍵盤ＰＫの音域のうち最も低い音高よりも高く、上鍵盤ＵＫの音域のうち最も低い音高は、下鍵盤ＬＫの音域のうち最も低い音高よりも高い。また、ペダル鍵盤ＰＫの音域は、上鍵盤ＵＫの音域および下鍵盤ＬＫの音域よりも狭い。上鍵盤ＵＫ、下鍵盤ＬＫおよびペダル鍵盤ＰＫの各々の音域は、予め定められていてもよく、またはユーザが任意に設定可能であってもよい。
【００２９】
本例において、ガイド部８は、複数の上鍵ｋ１にそれぞれ対応する複数の上点灯部Ｌ１および複数の下鍵ｋ２にそれぞれ対応する複数の下点灯部Ｌ２を含む。各上点灯部Ｌ１および各下点灯部Ｌ２は、例えばＬＥＤ（発光ダイオード）からなる。各上点灯部Ｌ１は、例えば、上鍵盤ＵＫの奥側に位置するパネル面上において、対応する上鍵ｋ１と前後に隣り合うように設けられ、各下点灯部Ｌ２は、例えば、上鍵盤ＵＫと下鍵盤ＬＫとの間に位置するパネル面上において、対応する下鍵ｋ２と前後に隣り合うように設けられる。教習モードでは、各上点灯部Ｌ１が、対応する上鍵ｋ１を操作すべき時点で点灯され、各下点灯部Ｌ２が、対応する下鍵ｋ２を操作すべき時点で点灯される。これにより、ユーザが各上鍵ｋ１および各下鍵ｋ２の操作時点を容易に認識することができる。なお、ガイド部８が、上点灯部Ｌ１および下点灯部Ｌ２のうち一方のみを含んでもよい。その場合、ガイド部８は、上鍵盤ＵＫおよび下鍵盤ＬＫのうち一方の演奏のみをガイドする。
【００３０】
［３］教習画面
本例では、教習モードにおいて、予め用意された複数の練習曲のうち１つの曲がユーザにより選択される。また、選択された曲の複数のパートのうち、ユーザが演奏すべきパートが練習パートとして選択される。練習パートは、上鍵盤ＵＫで演奏すべきパート（以下、上演奏パートと呼ぶ。）、下鍵盤ＬＫで演奏すべきパート（以下、下演奏パートと呼ぶ。）およびペダル鍵盤ＰＫで演奏すべきパート（以下、ペダル演奏パートと呼ぶ。）のうち少なくとも１つを含む。なお、上演奏パート、下演奏パートおよびペダル演奏パートのうち少なくとも１つが予め定められていてもよい。
【００３１】
曲の進行に合わせて、各練習パートの演奏のガイドが行われる。図１のディスプレイ６には、ペダル鍵盤ＰＫの演奏をガイドするための教習画面が表示される。図３は、ディスプレイ６に表示される教習画面の例を示す図である。図３の教習画面２００は、ペダル鍵盤画像表示領域２０１およびリズム情報表示領域２０２を含む。ペダル鍵盤画像表示領域２０１には、図２のペダル鍵盤ＰＫに対応するペダル鍵盤画像ＰＩＭが表示される。図３のペダル鍵盤画像ＰＩＭは、２０鍵のペダル鍵盤ＰＫに対応する。
【００３２】
曲の進行に合わせて、操作すべきペダル鍵ｋ３がペダル鍵盤画像ＰＩＭ上で順次指定される。本例では、操作すべきペダル鍵ｋ３上に円形のマーカーＭＫ１が表示される。なお、マーカーＭＫ１に代えて、操作すべきペダル鍵ｋ３を指し示す矢印等が表示されてもよく、あるいは操作すべきペダル鍵ｋ３の色が変化されてもよい。
【００３３】
リズム情報表示領域２０２には、ペダル演奏パートの少なくともリズムを表すリズム情報が単位区間毎に表示される。単位区間の長さは例えば小節数で表される。単位区間の長さは、ユーザにより設定されてもよく、予め定められた一定の長さであってもよい。ここで、リズムは、複数の音の時間的な位置により表される。音の時間的な位置（以下、音位置と呼ぶ。）は、音の開始（ノートオンの時点）から終了（ノートオフの時点）までの範囲を含む。図３の例では、単位区間は１小節であり、リズム情報として、曲中の現在位置を含む１小節分のリズム譜が表示される。リズム譜では、音符および休符によりペダル演奏パートのリズムが表され、音高は表されない。なお、リズム譜が強弱記号等を含んでもよい。リズム譜上には、現在位置を示すマーカーＭＫ２が表示される。図３の例では、現在位置が１拍目と２拍目との間であることがマーカーＭＫ２により示される。マーカーＭＫ２は、曲の進行に従って移動する。マーカーＭＫ２により示される現在位置が、表示されている単位区間の終了位置に到達すると、次の単位区間のリズム譜が表示される。マーカーＭＫ２の表示の有無がユーザにより選択されてもよい。
【００３４】
リズム情報表示領域２０２に表示されるリズム情報は、リズム譜に限らない。本例では、複数タイプのリズム情報のうち、表示すべきリズム情報のタイプをユーザが選択することができる。図４および図５は、リズム情報の他の例を示す図である。図４の例において、リズム情報は、現在位置を含む１小節分の五線譜（低音部譜表）である。五線譜では、音符および休符によりペダル演奏パートのリズムおよび音高が表される。図３の例と同様に、五線譜上には現在位置を示すマーカーＭＫ２が表示される。
【００３５】
図５の例では、リズム情報として、ペダル鍵盤画像ＰＩＭと対応付けられたリズム画面ＰＲが表示される。リズム画面ＰＲにおいては、横軸が音高を表し、縦軸が時間軸に相当する。リズム画面ＰＲには、ペダル演奏パートの各音に対応する矩形状の図形ｄが表示される。各図形ｄの横方向の位置が、対応する音の高さを表す。具体的には、各図形ｄの直下に位置するペダル鍵ｋ３に割り当てられた音高が、各図形ｄに対応する音の高さと一致する。各図形ｄの上下方向の長さが、対応する音の長さを表し、各図形ｄの上下方向の位置が、対応する音の時間軸上の位置を表す。各図形ｄは、曲の進行とともに下方に移動する。
【００３６】
リズム画面ＰＲの下部に、発音ラインＴＬが表示される。発音ラインＴＬと各図形ｄとの間の距離は、対応する音を演奏すべき時点が到来するまでの時間に相当する。各図形ｄが発音ラインＴＬと重なる期間が、対応する音を演奏すべき期間に相当する。すなわち、いずれかのペダル鍵ｋ３の操作を開始すべき時点（ノートオンの時点）で、対応する図形ｄの下端が発音ラインＴＬに到達し、いずれかのペダル鍵ｋ３の操作を終了すべき時点（ノートオフの時点）で、対応する図形ｄの上端が発音ラインＴＬに到達する。
【００３７】
通常、ペダル演奏パートにはベースパートが割り当てられる。ベースパートにおいては、同じ音高（例えば、コードのルート）が連続的に配置されることが多い。その場合、ペダル鍵盤画像ＰＩＭ上では、同じペダル鍵ｋ３が繰り返し指定される。そのため、各音の開始および終了の時点がわかりにくくなり、不慣れなユーザにとっては、ペダル鍵ｋ３を操作すべきタイミングおよびリズムを認識することが難しい。そこで、本例では、ペダル鍵盤画像ＰＩＭとともにリズム情報が表示される。この場合、ペダル演奏パートで同じ音高が繰り返される場合であっても、ユーザは、ペダル鍵ｋ３を操作すべきタイミングおよびリズムを容易に認識することができる。
【００３８】
なお、教習画面２００が十分なスペースを有する場合には、ペダル鍵盤画像ＰＩＭおよびリズム情報に加えて、手鍵盤ＨＫで演奏すべき音符列を示す楽譜またはコード譜等が教習画面２００に表示されてもよい。
【００３９】
［４］リズムパターンに基づくガイド
本例では、選択された曲の曲データにペダル演奏パートのパートデータが含まれていない場合でも、他のパートデータおよび予め用意されたリズムパターンに基づいて、ペダル演奏パートのガイドが行われる。
【００４０】
図６は、予め用意されたリズムパターンの例を示す図である。図６においては、拍の位置が点線で示される。図６（ａ）の例は、基本的なリズムパターンであり、１小節を１単位とし、４分の４拍子の各拍に４分音符が配置されている。図６（ｂ）の例は、１小節を１単位とし、４分の４拍子の強拍に４分音符が配置され、弱拍に４分休符が配置されている。図６（ｃ）の例は、２小節を１単位とし、１小節目に付点４分音符と８分音符が交互に配置され、２小節目に２分音符が２つ配置されている。１小節に１つの全音符が配置されたリズムパターン、８分音符が連続的に配置されたリズムパターン、４分の４拍子以外のリズムパターン、あるいは３小節以上を１単位とするリズムパターン等が用意されていてもよい。これらのリズムパターンは、例えば図１の記憶装置１３に予め記憶される。ユーザは、予め用意された複数のリズムパターンのうちいずれかを選択する。
【００４１】
また、選択された曲の少なくとも１つのパートデータからコードが検出され、検出されたコードに基づいて、ペダル演奏パートの音高が決定される。例えば、検出されたコードのルートがペダル演奏パートの音高に決定される。また、オンコード（分数コード）が検出された場合には、ベース音高（分母の音高）がペダル演奏パートの音高に決定される。あるいは、コードのルートまたはオンコードのベース音高に加えて、コードを構成する他の音高（例えば５度の音高）がペダル演奏パートの音高に決定されてもよい。
【００４２】
選択されたリズムパターン、およびコードから決定される音高により、ペダル演奏パートの音符列が定まる。図７は、ペダル演奏パートの音符列の例を示す図である。図７（ａ）の例は、図６（ａ）のリズムパターンが選択された場合の例である。１小節目のコードはＣメジャーであり、２小節目のコードはＥマイナーである。この場合、１小節目に、Ｃメジャーのルート“Ｃ”を示す４分音符が拍毎に配置され、２小節目に、Ｅマイナーのルート“Ｅ”を示す４分音符が拍毎に配置される。図７（ｂ）の例は、図６（ｂ）のリズムパターンが選択された場合の例である。１小節目のコードはＣメジャーであり、２小節目のコードはベース音高として“Ｂ”が指定されたオンコードのＥマイナーである。この場合、１小節目の強拍に、Ｃメジャーのルート“Ｃ”を示す４分音符が配置され、２小節目の強拍に、オンコードのベース音高“Ｂ”を示す４分音符が配置される。
【００４３】
このような音符列がペダル鍵盤ＰＫによって演奏されるように、操作すべきペダル鍵ｋ３がペダル鍵盤画像ＰＩＭ上で順次指定されるとともに、選択されたリズムパターンに対応するリズム情報が表示される。リズム情報のタイプとして、音高を含むタイプ（例えば図４および図５の例）が選択されている場合には、図７の例のようにコードから決定された音高を含むリズム情報が表示される。
【００４４】
リズム情報の単位区間の長さは、選択されたリズムパターンに応じて設定されてもよい。例えば、図６（ａ）および図６（ｂ）の例のように、１小節を１単位とするリズムパターンが選択された場合には、単位区間が１小節に設定され、図６（ｃ）の例のように、２小節を１単位とするリズムパターンが選択された場合には、単位区間が２小節に設定されてもよい。なお、選択された曲の曲データに、ペダル演奏パートのパートデータが含まれている場合でも、ユーザの要求に応じて、他のパートデータおよび予め用意されたリズムパターンに基づいて、ペダル演奏パートのガイドが行われてもよい。
【００４５】
［５］機能的構成
図８は、教習装置１００の機能的な構成を示すブロック図である。図１のＣＰＵ１１がＲＯＭ１０または記憶装置１３に記憶された教習プログラムを実行することにより図８における教習装置１００の各部の機能が実現される。図８に示すように、教習装置１００は、曲データ取得部１０１、鍵盤画像表示部１０２、ペダル演奏データ取得部１０３、リズム情報表示部１０４、音高取得部１０５、ペダル鍵指定部１０６、手鍵指定部１０７、自動演奏部１０８、設定受付部１０９および計時部１１０を含む。
【００４６】
曲データ取得部１０１は、記憶装置１３に記憶された複数の曲データのうち、ユーザにより選択された曲の曲データを取得する。鍵盤画像表示部１０２は、表示回路７を制御することにより、ペダル鍵盤画像ＰＩＭをディスプレイ６上に表示する。
【００４７】
ペダル演奏データ取得部１０３は、ペダル演奏パートの少なくともリズムを表すペダル演奏データを取得する。本例では、取得された曲データにペダル演奏パートのパートデータが含まれている場合、ペダル演奏データ取得部１０３は、当該パートデータからペダル演奏データを取得する。一方、取得された曲データにペダル演奏パートのパートデータが含まれていない場合、ペダル演奏データ取得部１０３は、選択されたリズムパターンに対応するペダル演奏データを取得する。リズム情報表示部１０４は、取得されたペダル演奏データに基づいて、表示回路７を制御することにより、ペダル演奏パートのリズム情報を単位区間毎にディスプレイ６上に表示する。
【００４８】
音高取得部１０５は、取得された曲データからペダル演奏パート、上演奏パートおよび下演奏パートの音高を順次取得する。例えば、音高取得部１０５は、ペダル演奏パート、上演奏パートおよび下演奏パートのパートデータから音高を示すイベントデータを順次取得する。なお、取得された曲データにペダル演奏パートのパートデータが含まれていない場合、音高取得部１０５は、上記のように、他のパートデータからコードを検出し、検出されたコードに基づいてペダル演奏パートの音高を取得する。
【００４９】
ペダル鍵指定部１０６は、取得されたペダル演奏パートの音高に基づいて、演奏すべきペダル鍵ｋ３をペダル鍵盤画像ＰＩＭ上で指定する。手鍵指定部１０７は、取得された上演奏パートおよび下演奏パートの音高に基づいて、操作すべき上鍵ｋ１および下鍵ｋ２を指定する。本例では、手鍵指定部１０７は、取得された上演奏パートの音高が割り当てられた上鍵ｋ１に対応する上点灯部Ｌ１を点灯させ、取得された下演奏パートの音高が割り当てられた下鍵ｋ２に対応する下点灯部Ｌ２を点灯させる。
【００５０】
自動演奏部１０８は、取得された曲データの複数のパートデータのうち、練習パート以外の少なくとも１つのパートのパートデータを音源１６に出力することにより、自動演奏を再生する。以下、自動演奏として再生されるパートを自動演奏パートと呼ぶ。自動演奏パートは、ユーザにより選択されてもよく、あるいは予め定められていてもよい。または、練習パート以外の全パートが自動的に自動演奏パートに設定されてもよい。
【００５１】
設定受付部１０９は、各種の初期設定を受け付けるとともに、教習画面の表示設定を受け付ける。初期設定は、例えば、各パートの音色の指定、初期テンポの指定、および練習パートの選択等を含む。また、教習モードに複数のサブモードが用意されている場合、設定受付部１０９が、初期設定として、サブモードの選択を受け付けてもよい。サブモードとしては、例えば、ユーザが操作すべき鍵を操作するまで曲が進行しないモード、およびユーザの演奏に依存することなく曲が進行するモード等がある。教習画面の表示設定は、例えば、単位区間の長さの指定、表示すべきリズム情報のタイプの選択、およびマーカーＭＫ２を表示するか否かの選択等を含む。
【００５２】
計時部１１０は、曲の進行に合わせて、タイマ１２による計時を行う。計時部１１０による計時に基づいて、曲中の現在位置が特定される。なお、教習モードのサブモードとして、ユーザの演奏に応じて曲の進行が停止されるモードが選択されている場合、計時部１１０は、曲の進行が停止される期間に計時を一時的に停止する。
【００５３】
［６］教習処理
図９および図１０は、教習装置１００における教習処理の一例を示すフローチャートである。図９および図１０の教習処理は、教習モードが選択されている場合に、図１のＣＰＵ１１がＲＯＭ１０または記憶装置１３に記憶された教習プログラムを実行することにより行われる。
【００５４】
まず、曲データ取得部１０１が、曲の選択を受け付けるとともに（ステップＳ１）、選択された曲の曲データを記憶装置１３から読み出す（ステップＳ２）。例えば、ユーザが図１の設定操作子４を操作して曲を選択すると、曲データ取得部１０１が選択された曲の曲データを読み出す。
【００５５】
次に、設定受付部１０９が、各種の初期設定を受け付けるとともに（ステップＳ３）、教習画面の表示設定を受け付ける（ステップＳ４）。次に、ペダル演奏データ取得部１０３およびリズム情報表示部１０４が、リズム情報生成処理によってリズム情報を生成する（ステップＳ５）。リズム情報生成処理の詳細については後述する。
【００５６】
次に、鍵盤画像表示部１０２およびリズム情報表示部１０４が、表示回路７を制御して、ペダル鍵盤画像ＰＩＭおよびリズム情報を含む教習画面をディスプレイ６上に表示する（ステップＳ６）。この時点では、ペダル鍵盤画像ＰＩＭ上でペダル鍵ｋ３は指定されない。また、曲の最初の単位区間におけるリズム情報が表示される。
【００５７】
次に、計時部１１０は、教習の開始が指示されたか否かを判定する（ステップＳ７）。例えば、設定操作子４が開始ボタンを含み、ユーザが開始ボタンを操作すると、教習の開始が指示される。
【００５８】
教習の開始が指示されるまで、計時部１１０は、ステップＳ７を繰り返す。教習の開始が指示されると、計時部１１０が、図１のタイマ１２による計時を開始する（ステップＳ８）。また、自動演奏部１０８が、ステップＳ２で読み出された曲データに含まれる複数のパートデータのうち、自動演奏パートのパートデータに基づいて、自動演奏の再生を開始する（ステップＳ９）。さらに、音高取得部１０５が、各練習パートのパートデータからの音高の取得を開始する（ステップＳ１０）。
【００５９】
次に、計時部１１０は、教習を終了すべきか否かを判定する（ステップＳ１１）。例えば、選択された曲の終了時点が到来した場合、計時部１１０は教習を終了すべきと判定する。あるいは、設定操作子４が停止ボタンを含み、ユーザが停止ボタンを操作した場合、計時部１１０は教習を終了すべきと判定する。
【００６０】
教習を終了すべき場合、自動演奏部１０８が自動演奏の再生を停止するとともに（ステップＳ１２）、計時部１１０が図１のタイマ１２による計時を停止する（ステップＳ１３）。また、鍵盤画像表示部１０２およびリズム情報表示部１０４が、表示回路７を制御して、ディスプレイ６上における教習画面の表示を停止する（ステップＳ１４）。これにより、教習処理が終了する。
【００６１】
ステップＳ１１において、教習を終了すべきでない場合、リズム情報表示部１０４は、現在位置が単位区間の終了位置に到達したか否かを判定する（ステップＳ１５）。現在位置が単位区間の終了位置に到達した場合、リズム情報表示部１０４は、教習画面上で表示されるリズム情報を次の単位区間のリズム情報に更新する（ステップＳ１６）。現在位置が単位区間の終了位置に到達していない場合、ステップＳ１６はスキップされる。
【００６２】
次に、図１０に示すように、音高取得部１０５が、取得した音高のノートオンの時点が到来したか否かを判定する（ステップＳ２１）。ノートオンの時点が到来していない場合、以下のステップＳ２２〜Ｓ２６がスキップされる。ノートオンの時点が到来した場合、ペダル鍵指定部１０６は、対象の音高がペダル演奏パートの音高であるか否かを判定する（ステップＳ２２）。対象の音高がペダル演奏パートの音高である場合、ペダル鍵指定部１０６は、対象の音高に対応するペダル鍵ｋ３をペダル鍵盤画像ＰＩＭ上で指定する（ステップＳ２３）。
【００６３】
ステップＳ２２において、対象の音高がペダル演奏パートの音高でない場合、手鍵指定部１０７は、対象の音高が上演奏パートの音高か否かを判定する（ステップＳ２４）。対象の音高が上演奏パートの音高である場合、手鍵指定部１０７は、対象の音高に対応する上鍵ｋ１を指定する（ステップＳ２５）。具体的には、手鍵指定部１０７は、対象の音高が割り当てられた上鍵ｋ１に対応する上点灯部Ｌ１を点灯させる。
【００６４】
ステップＳ２４において、対象の音高が上演奏パートの音高でない場合、手鍵指定部１０７は、対象の音高が下演奏パートの音高であると判定する。その場合、手鍵指定部１０７は、対象の音高に対応する下鍵ｋ２を指定する（ステップＳ２６）。具体的には、手鍵指定部１０７は、対象の音高が割り当てられた下鍵ｋ２に対応する下点灯部Ｌ２を点灯させる。
【００６５】
次に、音高取得部１０５は、取得した音高のノートオフの時点が到来したか否かを判定する（ステップＳ２７）。ノートオフの時点が到来した場合、ペダル鍵指定部１０６は、対象の音高がペダル演奏パートの音高であるか否かを判定する（ステップＳ２８）。対象の音高がペダル演奏パートの音高である場合、ペダル鍵指定部１０６は、ペダル鍵盤画像ＰＩＭ上で、対象の音高に対応するペダル鍵の指定を終了し（ステップＳ２９）、図９のステップＳ１１に戻る。
【００６６】
対象の音高がペダル演奏パートの音高でない場合、手鍵指定部１０７は、対象の音高が上演奏パートの音高であるか否かを判定する（ステップＳ３０）。対象の音高が上演奏パートの音高である場合、手鍵指定部１０７は、対象の音高に対応する上鍵ｋ１の指定を終了する（ステップＳ３１）。具体的には、手鍵指定部１０７は、対象の音高が割り当てられた上鍵ｋ１に対応する上点灯部Ｌ１を消灯させる。その後、手鍵指定部１０７は図９のステップＳ１１に戻る。
【００６７】
対象の音高が上演奏パートの音高でない場合、手鍵指定部１０７は、対象の音高が下演奏パートの音高であると判定する。その場合、手鍵指定部１０７は、対象の音高に対応する下鍵ｋ２の指定を終了する（ステップＳ３２）。具体的には、手鍵指定部１０７は、対象の音高が割り当てられた下鍵ｋ２に対応する下点灯部Ｌ２を消灯させる。その後、手鍵指定部１０７は図９のステップＳ１１に戻る。
【００６８】
図１１は、ステップＳ５（図９）のリズム情報生成処理の一例を示すフローチャートである。まず、ペダル演奏データ取得部１０３は、ステップＳ１（図９）で選択された曲にペダル演奏パートがあるか否かを判定する（ステップＳ４１）。例えば、選択された曲に予めペダル演奏パートが設定されている場合、あるいはステップＳ３（図９）の初期設定においていずれかのパートがペダル演奏パートに選択された場合、ペダル演奏データ取得部１０３は、ペダル演奏パートがあると判定する。その場合、ペダル演奏データ取得部１０３は、曲データからペダル演奏パートのパートデータを読み出す（ステップＳ４２）。
【００６９】
次に、ペダル演奏データ取得部１０３は、読み出されたパートデータから各音位置をペダル演奏データとして取得する（ステップＳ４３）。各音位置は、例えば、パートデータ中の音符イベントデータによって示される。次に、ペダル演奏データ取得部１０３は、取得した音位置を予め定められた音符単位で補正（クオンタイズ）する（ステップＳ４４）。位置補正の単位となる音符は、８分音符、１６分音符または３連符系等であり、例えば図９のステップＳ３の初期設定としてユーザにより選択される。
【００７０】
次に、ペダル演奏データ取得部１０３は、リズム情報としてペダル演奏パートの音高が必要か否かを判定する（ステップＳ４５）。例えば、ステップＳ４（図９）の教習画面の表示設定において、表示すべきリズム情報のタイプとして音高を含むタイプ（例えば図４および図５の例）が選択された場合、ペダル演奏データ取得部１０３は、ペダル演奏パートの音高が必要であると判定する。その場合、ペダル演奏データ取得部１０３は、読み出されたパートデータから各音位置に対応する音高をペダル演奏データとして取得する（ステップＳ４６）。ペダル演奏パートの音高が必要でない場合、ステップＳ４６はスキップされる。次に、リズム情報表示部１０４が、取得されたペダル演奏データに基づいて、選択されたタイプのリズム情報を生成し（ステップＳ４７）、リズム情報生成処理を終了する。
【００７１】
ステップＳ４１において、選択された曲にペダル演奏パートがない場合、ペダル演奏データ取得部１０３は、リズムパターンの選択を受け付ける（ステップＳ４８）。例えば、図６の例のような種々のリズムパターンのリズム譜がディスプレイ６上に表示され、それらのリズムパターンからユーザが所望のリズムパターンを選択する。ペダル演奏データ取得部１０３は、選択されたリズムパターンに基づいて、ペダル演奏パートの各音位置をペダル演奏データとして取得する（ステップＳ４９）。
【００７２】
次に、ペダル演奏データ取得部１０３は、上記のステップＳ４５と同様に、リズム情報としてペダル演奏パートの音高が必要か否かを判定する（ステップＳ５０）。ペダル演奏パートの音高が必要である場合、ペダル演奏データ取得部１０３は、上記のように、他のパートデータからコードを検出し、検出したコードからペダル演奏パートの各音位置に対応する音高を決定し、決定した音高をペダル演奏データとして取得する（ステップＳ５１）。ペダル演奏パートの音高が必要でない場合、ステップＳ５１はスキップされる。次に、リズム情報表示部１０４が、取得されたペダル演奏データに基づいて、選択されたタイプのリズム情報を生成し（ステップＳ５２）、リズム情報生成処理を終了する。
【００７３】
［７］効果
本実施の形態に係る教習装置１００においては、演奏すべきペダル鍵ｋ３がペダル鍵盤画像ＰＩＭ上で指定されるとともに、定められた単位区間毎にペダル演奏パートの少なくともリズムを表すリズム情報が表示される。それにより、ユーザ（演奏者）は、ペダル鍵盤画像ＰＩＭを見て操作すべきペダル鍵ｋ３を直感的に認識することができ、かつリズム情報を見てペダル鍵ｋ３を操作すべきタイミングおよびリズムを容易に認識することができる。これにより、ユーザは、ペダル鍵ｋ３の適切な操作を習得しやすくなる。したがって、ユーザのペダル鍵盤ＰＫの演奏技術を効果的に高めることが可能となる。
【００７４】
また、本実施の形態では、上演奏パートおよび下演奏パートの音高が順次取得され、取得された音高に対応する上鍵ｋ１および下鍵ｋ２が順次指定される。これにより、ユーザは、操作すべきペダル鍵ｋ３に加えて操作すべき上鍵ｋ１および下鍵ｋ２を容易に認識することができる。それにより、ペダル鍵盤ＰＫの演奏技術に加えて手鍵盤ＨＫの演奏技術も同時に高めることができる。
【００７５】
［８］他の実施の形態
上記実施の形態では、教習の開始指示が受け付けられる前にリズム情報が生成されるが、教習の開始指示が受け付けられた後に、曲の進行とともにリズム情報が生成されてもよい。例えば、各単位区間の終了時またはその直前に次の単位区間のリズム情報が生成され、各単位区間の終了とともに、生成された次の単位区間のリズム情報が表示されてもよい。
【００７６】
上記実施の形態では、手鍵盤ＨＫが上下に分割された上鍵盤ＵＫおよび下鍵盤ＬＫを含むが、手鍵盤ＨＫが１段の鍵盤のみを含んでもよい。その場合、手鍵盤ＨＫの練習パートとして、１つのパートのみが選択可能であってもよい。あるいは、１段の鍵盤が複数の鍵域に分離可能であってもよい。例えば、１段の鍵盤が、伴奏用の鍵域とメロディ用の鍵域とに左右に分離されてもよい。その場合、鍵域毎に１つのパートが選択可能であってもよい。
【００７７】
教習モードでは、手鍵盤ＨＫおよびペダル鍵盤ＰＫのガイドに加えて、モジュレーションホイールおよびピッチベンドホイール等の他の演奏操作子２のガイドが行われてもよい。
【００７８】
ユーザの演奏に自動伴奏が付与されてもよい。例えば、下鍵盤ＬＫの演奏およびペダル鍵盤ＰＫの演奏の少なくとも一方に基づいてコードが特定され、特定されたコードに対応するように自動伴奏音が出力されてもよい。
【００７９】
上記実施の形態では、足で操作される足操作子群の例としてペダル鍵盤ＰＫが用いられるが、ペダル鍵盤ＰＫの代わりに、他の足操作子群が用いられてもよい。図１２は、他の足操作子群を備えた演奏装置を示す図である。図１２の演奏装置２５０は、足操作子群の例として、ユーザの足で操作される複数の操作パッドＰＡを有する。複数の操作パッドＰＡには、それぞれ異なる音高が割り当てられる。図１２においては、各操作パッドＰＡ上に、当該操作パッドＰＡに割り当てられた音高が示される。図１２の演奏装置２５０が用いられる場合には、複数の操作パッドＰＡに対応する足操作子群画像がディスプレイ上に表示される。また、表示された足操作子群画像上で、操作すべき操作パッドＰＡが指定される。
【００８０】
手鍵盤ＨＫの代わりに、例えば図１２の例と同様の複数の操作パッドからなる他の手操作子群が用いられてもよい。また、タッチパネルディスプレイ上に表示された複数の操作子が足操作子群または手操作子群として用いられてもよい。
【００８１】
上記実施の形態では、図８の各機能部がＣＰＵ１１等のハードウェアおよび教習プログラム等のソフトウェアにより実現されるが、これらの機能部が電子回路等のハードウェアにより実現されてもよい。
【００８２】
上記実施の形態では、ディスプレイ６を備えた電子楽器１に本発明が適用されるが、スマートフォンまたはタブレット端末等の外部表示装置と接続可能な電子楽器に本発明が適用されてもよい。その場合、電子楽器に接続された外部表示装置によりペダル鍵盤画像およびリズム情報が表示される。
【００８３】
［９］請求項の各構成要素と実施の形態の各部との対応
以下、請求項の各構成要素と実施の形態の各部との対応の例について説明するが、本発明は下記の例に限定されない。上記実施の形態における教習装置１００が教習装置の例であり、ペダル鍵盤ＰＫが足操作子群の例であり、ペダル鍵ｋ３が足操作子の例であり、ペダル演奏パートが足演奏パートの例であり、ペダル演奏データが足演奏データの例であり、ペダル演奏データ取得部１０３が足演奏データ取得手段の例であり、音高取得部１０５が足音高取得手段および手音高取得手段の例であり、鍵盤画像表示部１０２が足操作子群画像表示手段の例であり、ペダル鍵盤画像ＰＩＭが足操作子群画像の例であり、ペダル鍵指定部１０６が足操作子指定手段の例であり、リズム情報表示部１０４がリズム情報表示手段の例である。また、手鍵盤ＨＫが手操作子群の例であり、上鍵ｋ１および下鍵ｋ２が手操作子の例であり、上演奏パートおよび下演奏パートが手演奏パートの例であり、手鍵指定部１０７が手操作子指定手段の例である。請求項の各構成要素として、請求項に記載されている構成または機能を有する他の種々の要素を用いることができる。
【符号の説明】
【００８４】
１…電子楽器，２…演奏操作子，３…入力Ｉ／Ｆ，４…設定操作子，５…検出回路，６…ディスプレイ，７…表示回路，８…ガイド部，９…ＲＡＭ，１０…ＲＯＭ，１１…ＣＰＵ，１２…タイマ，１３…記憶装置，１６…音源，１７…効果回路，１８…サウンドシステム，１００…教習装置，１０１…曲データ取得部，１０２…鍵盤画像表示部，１０３…ペダル演奏データ取得部，１０４…リズム情報表示部，１０５…音高取得部，１０６…ペダル鍵指定部，１０７…手鍵指定部，１０８…自動演奏部，１０９…設定受付部，１１０…計時部
【図１】
2018146717.tif 000003
【図２】
2018146717.tif 000004
【図３】
2018146717.tif 000005
【図４】
2018146717.tif 000006
【図５】
2018146717.tif 000007
【図６】
2018146717.tif 000008
【図７】
2018146717.tif 000009
【図８】
2018146717.tif 000010
【図９】
2018146717.tif 000011
【図１０】
2018146717.tif 000012
【図１１】
2018146717.tif 000013
【図１２】
2018146717.tif 000014